(57)【要約】【課題】扉の閉扉時、ラッチボルトを確実にロックすることができること。【解決手段】ハンドルの操作力により回転する駆動部材と、この駆動部材の駆動力により錠箱内へと後退するラッチボルトと、一方、扉の閉扉時、ラッチバネのバネ力により戸枠の受け具に係入したラッチボルトをロックするロック手段とを備えたラッチ錠に於いて、前記駆動部材は、ラッチボルトを基準にして錠箱の一方側の空間に、一方、前記ロック手段は前記駆動部材に対して反対側の空間にそれぞれ配設されていると共に、該ロック手段は、操作部材の操作力によって回転するダルマと、このダルマとリンクを介して連結されかつ錠箱に設けたガイドを介して上下方向にスライドして前記ラッチボルトの後退を阻止するロック板とから成る。【選択図】図２
2009197474.tif 000002
【特許請求の範囲】
【請求項１】
ハンドルの操作力により回転する駆動部材と、この駆動部材の駆動力により錠箱内へと後退するラッチボルトと、一方、扉の閉扉時、ラッチバネのバネ力により戸枠の受け具に係入したラッチボルトをロックするロック手段とを備えたラッチ錠に於いて、前記駆動部材は、ラッチボルトを基準にして錠箱の一方側の空間に、一方、前記ロック手段は前記駆動部材に対して反対側の空間にそれぞれ配設されていると共に、該ロック手段は、操作部材の操作力によって回転するダルマと、このダルマとリンクを介して連結されかつ錠箱に設けたガイドを介して上下方向にスライドして前記ラッチボルトの後退を阻止するロック板とから成るラッチ錠。
【請求項２】
請求項１に於いて、錠箱の幅広側壁には、ダルマの突起部分を有する嵌合部から所定間隔離間して、かつ該嵌合部の左右付近に相当する箇所に台座用の取付け孔が左右一対形成されていることを特徴とするラッチ錠。
【発明の詳細な説明】
【技術分野】
【０００１】
本発明は、ラッチ錠に関し、特にラッチボルトを備えたラッチ錠に関する。
【背景技術】
【０００２】
特許文献１の図１には、ラッチボルトを備えたラッチ錠に於いて、ハンドルの操作力により、かつ復帰バネのバネ力に抗して回転する駆動部材の駆動腕がラッチボルトのラッチ軸に設けた被係合部（受け板、大径部など）に直接係合している事項が開示されている。
また、特許文献２の図４には、ラッチボルトを備えたラッチ錠に於いて、ハンドルの操作力により、かつ復帰バネのバネ力に抗して回転する駆動部材と、該駆動部材と連係する回転連動片の駆動腕がラッチボルトのラッチ軸に設けた被係合部（或いは受け板）に係合している事項が開示されている。
【０００３】
これらの特許文献１、特許文献２に記載のラッチ錠は、ハンドルの操作力により、かつ復帰バネのバネ力に抗して回転する駆動部材を介して、又は駆動部材と連動する回転連動片を介してラッチボルトを錠箱内へと引っ込めるものである。
【０００４】
ラッチ錠は、普通一般にトイレの扉等の室内扉の自由端部に内装されているが、前記室内扉の内外の壁面には、ハンドルやサムターン用の「台座」がそれぞれ固定的に装着されている。例えば特許文献３は、ラッチ錠を備えた扉の内外の壁面に円形の丸座を固定する事項が記載されている。
【０００５】
周知のように台座は、丸座と称されるものや長座と称されるものが存在し、例えば長座を扉の内外の面に固定する場合には、長座の内壁面に水平方向に突設した取付け柱と、該取付け柱のメネジと螺合する複数本の固着具を用いて内外の台座を一体的に連結する。
【特許文献１】特開２００４−２３８９７２号公報
【特許文献２】特開２００５−１３９６８６号公報
【特許文献３】特開２００２−３８７７２号公報
【発明の開示】
【発明が解決しようとする課題】
【０００６】
室内扉の一方の壁面には、単数又は複数個の台座にハンドルと共にサムターンやシリンダ錠を取付ける場合が多いが、例えばサムターンを取付けた場合には、室内からサムターンを操作して、ラッチ錠のラッチボルトの後退動を阻止するロック手段を錠箱内の空間に適宜に配設するのが望ましい。
【０００７】
そこで、本発明の第１の目的は、ハンドルの操作力により、かつ復帰バネのバネ力に抗して回転する駆動部材と、この駆動部材の駆動力により錠箱内へと後退するラッチボルトと、一方、扉の閉扉時にラッチバネのバネ力により戸枠の受け具に係入した前記ラッチボルトをロックするロック手段とを備えたラッチ錠に於いて、前記ラッチボルトのラッチ軸を基準にして前記駆動部材とロック手段を錠箱内に合理的に配設すると共に、ダルマがロック方向に回転したとき、ロック手段を構成するロック板が十分なストロークを有して上下方向へと移動し、確実にラッチボルトをロックすることができることである。
【０００８】
また、本発明の第２の目的は、丸座、長座等の台座を、例えば突起部分を有するダルマが回転障害にならないように、かつダルマの環状嵌合部（ボス部）の中心（軸の軸芯）を通る水平ライン上に位置するようにダルマの環状嵌合部から所要量離間した所に台座の取付け柱や台座固定用の固着具を嵌め込むことができることである。第３の目的は、錠箱内の空間を有効的に活用することである。
【課題を解決するための手段】
【０００９】
本発明のラッチ錠は、ハンドルの操作力により回転する駆動部材と、この駆動部材の駆動力により錠箱内へと後退するラッチボルトと、一方、扉の閉扉時、ラッチバネのバネ力により戸枠の受け具に係入したラッチボルトをロックするロック手段とを備えたラッチ錠に於いて、前記駆動部材は、ラッチボルトを基準にして錠箱の一方側の空間に、一方、前記ロック手段は前記駆動部材に対して反対側の空間にそれぞれ配設されていると共に、該ロック手段は、操作部材の操作力によって回転するダルマと、このダルマとリンクを介して連結されかつ錠箱に設けたガイドを介して上下方向にスライドして前記ラッチボルトの後退を阻止するロック板とから成る。
【発明の効果】
【００１０】
（１）扉の閉扉時、ラッチボルトを確実にロックすることができる。
（２）ロック手段は、サムターン摘み、合鍵等の操作力によって回転するサムターンダルマ、シリンダーダルマ等のダルマと、このダルマとリンクを介して連結され、かつ錠箱に設けたガイドを介して上下方向にスライドして前記ラッチボルトの後退を阻止するロック板とから成るので、錠箱に台座用の取付け孔を形成する場合、ダルマの嵌合部（ボス部）よりも下方或いは上方ではなく、可能な限り、ダルマの嵌合部の中心を通る水平ライン上に形成することができる。その結果、丸座、長座等の台座を固定する箇所が、ダルマから、例えば下方方向へと離れることなく、台座をバランス良く固定することができる（台座が扉の反りにも強い。一端部側が浮き上がらない。）。
（３）錠箱内の上下の空間を有効的に活用することができる。
【発明を実施するための最良の形態】
【００１１】
以下、図１乃至図４に示す本発明を実施するための最良の形態により説明する。
【００１２】
（１）発明の実施の環境
図１は発明の実施の環境を示す概略説明図である。図１に於いて、１は戸枠、２は戸枠１の縦枠に設けられた受け金具、３は扉、４は扉３の自由端部に内装されたラッチ錠Ｘの縦長状錠箱、Ａは扉３の内壁面（例えばトイレの扉の内壁面）に固定的に取り付けられた、例えばサムターン用の台座である。仮想線で示す台座Ａは、丸座、長座のいずれであっても良い。図１では、例えば図示しないサムターン摘みとハンドルの首部分がそれぞれ嵌合する長座Ａを仮想線で示している。
【００１３】
（２）ラッチ錠Ｘ
図２及び図３はラッチ錠Ｘを構成する主な部材を示す。また、図４は本発明の主要部を示す。図１乃至図４を参照にして、ラッチ錠Ｘの主な部材説明する。なお、細部的事項の説明や符号は省略する。
【００１４】
まず、錠箱４は、ケース身とケース蓋とから構成され、扉３の端面と面一状になるフロントを有している。錠箱４には、後述する駆動部材６、ロック手段２１等の部材を取付けるための嵌合孔、軸孔等が形成されている。また、ラッチボルト１３及びロック手段２１を構成するロック板２４をそれぞれ案内するガイドが形成されている。
【００１５】
次に、錠箱４内に組み込まれた各部材を、上から順番に説明する。錠箱４内には、図示しないレバーハンドル、ノブ等のハンドルの操作力により、かつハンドル用の復帰バネ５のバネ力に抗して回転する駆動部材６が配設されている。前記復帰バネ５は、例えばレバーハンドルの把手部分を水平状態へと戻すためのコイルバネが採用され、錠箱４の上部空間７の右上角部に水平方向に配設されている。
【００１６】
したがって、復帰バネ５の右端部（一端部）は錠箱４の後壁内面に支持され、一方、左端部（他端部）は、駆動部材６のバネ端受け用の第１突起部分６ａに支持されている。
前記第１突起部分６ａは、星のイメージを彷彿させる図示しないハンドル軸嵌挿用の軸孔を有する環状嵌合部（ボス部）８から半径外方向に突出している。駆動部材６は、前記第１突起部分６ａとは反対側（下側の意味）に突出する第２突起部分６ｂを有している。この第２突起部分６ｂには可動ピンが設けられ、該可動ピンは錠箱４の幅広側壁４ａに形成したやや弧状の案内長孔に係合している。
【００１７】
符号９は錠箱４の幅広側壁４ａに形成された台座用の左右一対の取付け孔で、これらの取付け孔９は、駆動部材６の環状嵌合部８から所定間隔離間して、かつ該環状嵌合部の左右に相当する箇所に、いわば環状嵌合部８を挟むように左右に一組形成されている。
【００１８】
付言すると、前記左右一対の取付け孔９は、駆動部材６の回転障害にならないように、かつ前記環状嵌合部８の中心（角軸の軸芯）を通る水平ラインＬ上に位置するように駆動部材６の環状嵌合部８から所要量離間した所に形成されている。
【００１９】
次に、１１は、駆動部材６及びラッチボルト１３にそれぞれ連係するように駆動部材６の前記第２突起部分６ｂからラッチボルトの後端部に亘って設けられた回転連動片で、この回転連動片１１の中央部は錠箱４に横設軸架された横軸１２に軸支されている。回転連動片１１の上端部は、例えば第２突起部分６ｂに押圧されるように係合し、一方、その指先形状の二股下端部は、ラッチボルト１３の後端部に周設したフランジ部或いは大径部（被係合部）１３ｃに係合している。
【００２０】
次に、ラッチボルト１３について説明する。ラッチボルト１３は錠箱４の略中央部に横方向に配設されている。したがって、ここでは、ラッチボルト１３のラッチ軸を基準にして錠箱４の空間部分を、上部空間７と下部空間７Ａに区分けする。
【００２１】
さて、ラッチボルト１３は、ハンドルの操作力により、かつ復帰バネ５のバネ力に抗して回転する一物品の駆動部材６を介して、又は本実施例のように駆動部材６及び縦長形状の回転連動片１１のニ物品を介して、駆動部材６の駆動力により錠箱４内へと後退する。一方、扉３の開閉時、ハンドルから手を離すと、ラッチボルト１３のラッチ軸１３ｂに巻装したラッチバネ１４のバネ力により受け具２に係入するように突出する。
【００２２】
ラッチボルト１３は、周知のように、先端部に傾斜面や係止される面を有するラッチ本体１３ａと、このラッチ本体の後端部に水平状態に連結されたラッチ軸１３ｂと、該ラッチ軸１３ｂの後端部に設けられた被係合部（フランジ部或いは大径部）１３ｃとを備え、前記ラッチ本体１３ａの後端部にはストッパー部分が形成され、また、前記ラッチ軸１３ｂの先端部寄りの部位には、ラッチバネ１４の先端部を受けるバネ端支持片１５が設けられている。
【００２３】
ところで、前記ラッチバネ１４は、その後端部が錠箱４の幅広側壁４ａに固定され、かつラッチ軸１３ｂを案内するガイド孔を有する案内支持片１６の前面に支持され、ラッチボルト１３を外方向に付勢している。
【００２４】
次に、２１は、扉３の閉扉時にラッチバネ１４のバネ力により戸枠１の受け具２に係入したラッチボルト１３をロックするロック手段である。このロック手段２１は、前述した駆動部材６が、前記ラッチボルト１３を基準にして、錠箱４の上部空間（本実施例）７か又は下部空間７Ａのいずれかに配設されていることに対応して、本実施例では、錠箱４の下部空間７Ａに配設されている。
【００２５】
しかして、ロック手段２１は、図示しないサムターン摘みの操作力によって回転するサムターンダルマ２２と、このサムターンダルマと縦長のリンク２３を介して連結され、かつ錠箱４に設けた（形成した）縦方向のガイド４ｂを介して上下方向にスライドしてラッチボルト１３の後退を阻止するロック板２４とから成る。
【００２６】
ダルマの一例としての前記サムターンダルマ２２は、駆動部材６の中心の垂直ラインＶ上に位置し、サムターン軸１０の駆動力によって所定角度まで回転する。サムターンダルマ２２も駆動部材６と同様に環状嵌合部（ボス部）２６から半径外方向に突出する第１突起部分２２ａを有し、この突起部分２２ａにはリンク２３の下端部が可動連結ピン２７を介して連結されている。
【００２７】
一方、前記の突起部分２２ａに対して略９０度の間隔を設けて環状嵌合部（ボス部）２６から半径外方向に突出する第２突起部分２２ｂには可動ピンが設けられ、該可動ピンは錠箱４の幅広側壁４ａに形成したやや弧状の案内長孔に係合している。
【００２８】
ロック板２４は、下端部に錠箱４のガイド（垂直長孔）４ｂに係合する係合突起２５を有し、その上端部側に形成された垂直案内長孔に前述したリンク２３の上端部に設けたガイドピン２８が係合する。したがって、ロック板２４は、サムターンダルマ２２がサムターン軸１０の駆動力によって時計方向又は反時計方向に回転すると、上下方向に所定量スライドする。
【００２９】
付言すると、図２で示すように、サムターン摘みの操作力によってサムターンダルマ２２が矢印で示す反時計方向に回転すると、ロック板２４は、矢印で示す上方向へと移動し、ロック板２４の上端部がラッチ軸１３ｂの被係合部１３ｃの後方に入り込んで、ラッチボルト１３の後退を阻止する（ロック状態）。
【００３０】
なお、ロック板２４がラッチボルト１３の後退を阻止した時には、ロック板２４の上端部は、錠箱４の後壁付近に設けられ、かつストッパー機能を有する弾性筒体２９にも係合する。
【００３１】
一方、図３は、図２の作動態様とは逆であり、サムターン摘みの操作力によってサムターンダルマ２２が矢印で示す時計方向に回転すると、ロック板２４は、矢印で示す下方向へと移動し、ロック板２４の上端部がラッチ軸１３ｂの被係合部１３ｃから離れ、その結果、ラッチボルト１３の後退を許容する（ロック解除の状態）。
【００３２】
ところで、符号３１は錠箱４の幅広側壁４ａに形成された台座用の左右一対の取付け孔で、これらの取付け孔３１は、サムターンダルマ２２の環状嵌合部２６から所定間隔離間して、かつ該環状嵌合部２６の左右付近に相当する箇所に、いわば環状嵌合部２６を挟むように左右に一組形成されている。
【００３３】
付言すると、前記左右一対の取付け孔３１は、サムターンダルマ２２の回転障害にならないように、かつ前記環状嵌合部２６の中心（軸の軸芯）を通る水平ラインＬ１上に位置するようにサムターンダルマ２２の環状嵌合部２６から所要量離間した所に形成されている。
【実施例】
【００３４】
発明の実施の形態で示した実施例に於いて、特に図示しないが、台座は、例えばメネジを有する左右一対の取付け脚を有する一方の座と、前記取付け脚に螺合する複数本の固着具を介して一方の座に連結された他方の座とから構成されている。なお、本実施例では、サムターンダルマ２２を一例にして説明したが、シリンダ錠を取付けた場合には、ダルマ２２は当然「シリンダーダルマ」と成る。
【産業上の利用可能性】
【００３５】
本発明は、主に錠前や建具の業界で利用される。
【図面の簡単な説明】
【００３６】
図１乃至図４は本発明の最良の実施例を示す各説明図。
【図１】本発明の環境を示す概略説明図。
【図２】ラッチ錠Ｘを構成する主な部材を示す説明図（ロック状態）。
【図３】ラッチ錠Ｘを構成する主な部材を示す説明図（ロック解除状態）。
【図４】本発明の主要部を示す説明図。
【符号の説明】
【００３７】
Ｘ…ラッチ錠、Ａ…台座、Ｌ、Ｌ１…水平ライン、Ｖ…垂直ライン、１…戸枠、２…受け金具、３…扉、４…錠箱、４ａ…幅広側壁、４ｂ…ガイド、５…復帰バネ、６…駆動部材、６ａ…第１突起部分、６ｂ…第２突起部分、７…上部空間、７Ａ…下部空間、８…嵌合部、９…取付け孔、１０…サムターン軸、１１…回転連動片、１２…横軸、１３…ラッチボルト、１３ａ…ラッチ本体、１３ｂ…ラッチ軸、１３ｃ…被係合部、１４…ラッチバネ、１５…バネ端支持片、１６…案内支持片、２１…ロック手段、２２…ダルマ、２２ａ…第１突起部分、２２ｂ…第２突起部分、２３…リンク、２４…ロック板、２５…係合突起、２６…環状嵌合部（ボス部）、２７…可動連結ピン、２８…ガイドピン、２９…弾性筒体。
【図１】
2009197474.tif 000003
【図２】
2009197474.tif 000004
【図３】
2009197474.tif 000005
【図４】
2009197474.tif 000006